(57)【特許請求の範囲】
【請求項１】
引き込み装置と引き込み装置を作動させるストライクからなり、引出を開けるときには引き込み装置のランナーに形成された第一係止片にストライクが係合して引っ張りバネに抗してランナーを待機位置にし、引出を閉めるときにはストライクが第一係止片に係合して、引っ張りバネで引き戻されることによりランナーを非待機位置にする引出の引き込み機構において、ストライクには正常の引出の開時にランナーの第一係止片と係合する本係合段部が形成されているとともに、引出の開時にランナーの第一係止片が本係合段部から外れたときに引出を閉めることによりランナーの第一係止片と係合できる仮係合段部が形成されていることを特徴とする引出の引き込み機構。
【請求項２】
前記ストライクの仮係合段部と本係合段部の下部は、待機位置方向に低くなった傾斜が付されていることを特徴とする請求項１記載の引出の引き込み機構。
【請求項３】
前記引き込み装置の第一係止片の側面は、待機位置方向に下がった傾斜面となっていることを特徴とする請求項１記載の引出の引き込み機構。
【発明の詳細な説明】
【技術分野】
【０００１】  本発明は、引出の付いた家具において、引出を閉めたときに、引出が奥方に勢いよく衝突するのを防ぐとともに、引出を完全に奥方に引き戻す引き込み機構に関する。
【背景技術】
【０００２】  近時の家具は、引出の出し入れが円滑に行われるように、摺動部には家具用レールが取り付けられている。家具用レールとは、金属製のガイドレール内に金属製のスライドレールが収納されており、ガイドレールとスライドレール間には多数のボールベアリングを配置したリテーナが設置されている。従って、引出は滑りが非常に良好であり、引出を勢いよく押し込むと引出が家具の奥部に勢いよく当たり、その反動で引出が少し開いてしまったり、奥部を破損したり、さらには引出の中に整頓して置かれていたものが崩れたりすりことがあった。【０００３】  このような問題に鑑み、従来より引出を閉めたときに、引出の勢いを緩めて奥部に強く当たるのを防ぐ引き込み機構が提案されている。（特許文献１）
【特許文献１】特開２００５−２３０４６８号公報
【０００４】  ここで引き込み機構について説明する。図１は引き込み機構を設置した家具の斜視図、図２は引き込み装置の正面断面図、図３は引き込み機構に使用する従来の引き込み装置のランナーとストライクの拡大図、図４は非待機位置における従来のストライクと第一係止片の位置関係である。【０００５】  家具本体１０は前方が入口となった箱状であり、天部１１、底部１２、奥部１３、側壁１４、１４から構成されている。【０００６】  引出２０は、無蓋の箱状であり、前述家具本体１０の挿入口からに容易に挿入できるようになっている。引出２０は、前板２１、奥板２２、底板２３、側板２４、２４から構成されている。引出２０の側板２４、２４には家具用レールのスライドレール２５が取り付けられている。【０００７】  家具本体１０の側壁１４、１４の内側には家具用レールのガイドレール１５が取り付けられている。このガイドレールは、前述引出２０のスライドレール２５を摺動自在に出入りさせることができるものである。ガイドレールとスライドレール間には、スライドレールの摺動性を良好にするため、多数のボールベアリングを配置したリテーナや戸車が配置されている。【０００８】  また家具本体１０の側壁内側には、引き込み装置３０が取り付けられている。引き込み装置とは、引出を勢いよく閉めたときに、引出の勢いを緩衝させて引出が家具本体の奥部に強く当たるのを防ぐとともに、引出を完全に閉めず、途中で止めても、引出を完全に奥方まで引き戻すことができるというものである。【０００９】  引き込み装置３０はケース３１、ランナー３２、引っ張りバネ３３、ダンパー３４から構成されている。ケース３１には両側にガイド溝３５が長手方向水平に形成されており、先端部が斜め上方に屈曲した屈曲部３６となっている。ランナー３２は第一ガイドピン３７と第二ガイドピン３８が横方に突出しており、これらのガイドピンがガイド溝３５内を移動するようになっている。そしてランナー３２には第一係止片３９、第二係止片４０が下方に突出して形成されている。【００１０】  引っ張りバネ３３は、一端がランナー３２に係止され、他端がケース３１の端部に係止されており、常時、ランナー３２を引っ張っている状態となっている。ダンパー３４は、シリンダー４１内にピストン４２が移動自在に配置されている。該ピストンにはロッド４３が固定されており、さらにロッド４３の先端は前述ランナー３２に係合されている。ダンパー３４は、シリンダー４１内でピストン４２が移動するときに、空気を徐々に流出させることにより、勢いよく移動するランナーの移動を緩衝させるものである。符号４４は、ケース３１の下部に形成された細長い開口であり、該開口から第一係止片３９と第二係止片４０が突出して端から端まで移動するようになっている。【００１１】  上記構造からなる引き込み装置でのランナーの移動について説明する。ランナー３２は引っ張りバネ３４に引っ張られており、ガイド溝３５の水平部奥方（図２中左方）に位置している。この状態は、引出が閉まっている状態である。そして引っ張りバネのバネ力に抗してランナー３２を移動させると、ランナー３２の第一ガイドピン３７と第二ガイドピン３８はガイド溝３５内を移動する��すると図２の二点鎖線で示すように、第一ガイドピン３７はガイド溝３５の屈曲部３６の端部に位置し、第二ガイドピン３８は水平部に位置する。この状態では引っ張りバネ３３が長く伸ばされているため、ランナー３２に対して引き戻す大きな力が働いている。ランナー３２はバネ力に抗して外力により移動させられるが、ランナー３２にかかっている外力を外しても、第一ガイドピン３７がガイド溝３５の屈曲部３６に引っ掛かっていることから、ランナー３２はロックされた状態となっていて、この位置に留まる。このとき図２の二点鎖線で示すように、ランナー３２は傾斜しているため、第一係止片３９はケース３１内に没しており、第二係止片４０がケース３１から突出している。このランナーの位置（図２中右方）が引出を開けた状態の待機位置である。【００１２】  ランナー３２がガイド溝３５の水平部の最奥の非待機位置（図２中の実線）にある引き込み装置において、ランナー３２を待機位置に移動させるには、ストライクで行う。図１に示すように引き込み装置３０を家具本体１０の側壁１４の内側に取り付けた場合、ストライク５０は引出２０の側板２４に取り付ける。ストライク５０の引出への取付位置は、引出を閉めたときに引っ張りバネで戻る第一係止片３９がストライク５０に係合して、家具の奥方に移動させるが、このときランナー３２がガイド溝３５の最奥に位置するよりも少し手前、即ち引っ張りバネのバネ力が少し残るような位置である。【００１３】  特許文献１におけるストライクＳは、図３に示すように平板であり、平板ストライクＳの巾Ｗ１は第一係止片Ａと第二係止片Ｂ間の巾Ｗ２よりも僅かに小さくなっていて所謂「遊び」のないものである。このように引き込み機構において、ストライクの巾に遊びをなくしたのは、引出を閉めたときに、ストライクは第一係止片に係合していて、引っ張りバネで引っ張られた状態になっていなければならないからである。しかしながらストライクの巾が小さくて係止片間に大きな遊びがあると、引出を閉めたときに、遊び分だけ引出が前方に出てしまい、引出の前板が他の引出の前板と面一にそろわなくなってしまう。【００１４】  引出の引き込み機構における引き込み装置は、引出を開けたときには、第一係止片がストライクで移動させられて、ランナーは最先端、即ち引っ張りバネが最長に伸びた待機位置になければならない。しかしながら引出を開けてストライクにより、引っ張りバネに抗して第一係止片を押しながらランナーを最端の待機位置の位置に移動させるときに、ストライクが第一係止片から外れてしまい、ランナーが引っ張りバネに引っ張られて引出を閉めた状態、即ち非待機位置に戻ってしまうことがあった。引出を開けたときに、引き込み装置のランナーが非待機位置にあると、引出を閉めてもストライクは第一係止片と係合しなくなり、引き込み装置が引出を引っ張ったり、引出の勢いを緩衝したりするという機能を全く果たさなくなってしまう。【００１５】  このように第一係止片がストライクから外れる原因は、家具の側壁と引き出しの側板間の間隙が大きい場合や引出を開けるときに引出の前板の中央を持たずに端を持って引出を傾斜させながら開けた場合、等に外れることがある。
【発明が解決しようとする課題】
【００１６】  そこで引出を開けたときに、ランナーの第一係止片がストライクから外れて非待機位置に戻ってしまったものを待機位置に戻すためには、図４のように、引出を家具の奥方に完全に押し込んでストライクＳが第一係止片Ａを乗り越えるようにすることも考えられる。このときストライクＳは、ストライクの巾だけ第一係止片を乗り越えなければならないが、前述のように従来の平板のストライクＳの巾Ｗ１は、第一係止片Ａと第二係止片Ｂ間の巾Ｗ２よりも僅かに小さいものであり、しかも引出を閉めた状態は図４に示すようにストライクＳが第一係止片Ａを完全に乗り越えられない位置になっている。即ち、引出を閉めた状態は、引出が完全に閉まるようにストライクの取付位置が第一係止片との係合位置よりも少し待機位置方向となっているため、引出を押し込む方法では引き込み装置を待機位置に戻すことはできなかった。
【００１７】  また引き込み装置を待機位置に戻す方法として、引出を家具から完全に引き抜き、家具の引出挿入口から手を入れ、係止片に指を掛けて引っ張りバネに抗してランナーを待機位置に戻すこともできる。しかしながら、この作業は、見えないところで行うため、手間がかかるばかりでなく、長い爪の女性が行うと、爪に係止片が掛かった場合、爪を剥がす危険性のあるものであった。本発明は、ストライクが係止片から外れても、安全でしかも簡単にこれらを係合させることができる引出の引き込み機構を提供することにある。
【課題を解決するための手段】
【００１８】  本発明者は、引出を完全に閉めたときに、図４のように、第一係止片はストライクの略半分までのところに位置するものであり、また家具は引出を摩擦なく摺動させるために、家具の中で横方に少し動くことに着目して本発明を完成させた。
【００１９】  本発明は、引き込み装置と引き込み装置を作動させるストライクからなり、引出を開けるときには引き込み装置のランナーに形成された第一係止片にストライクが係合して引っ張りバネに抗してランナーを待機位置にし、引出を閉めるときにはストライクが第一係止片に係合して、引っ張りバネで引き戻されることによりランナーを非待機位置にする引出の引き込み機構において、ストライクには正常の引出の開時にランナーの第一係止片と係合する本係合段部が形成されているとともに、引出の開時にランナーの第一係止片が本係合段部から外れたときに引出を閉めることによりランナーの第一係止片と係合できる仮係合段部が形成されていることを特徴とする引出の引き込み機構である。
【発明の効果】
【００２０】  本発明は、引出を開けたときに、本来引き込み装置のランナーが待機位置になければならないが、ストライクがランナーの第一係止片から外れてランナーが非待機位置に戻ってしまった場合、従来の引き込み機構では引出を家具から完全に引き抜いて挿入口から手を挿入してランナーを移動させるという手間のかかるものであった。本発明の引出の引き込み機構は、ランナーの第一係止片がストライクから外れても、引出を少し強い力で奥方に押し込むだけでストライクが第一係止片に仮係合し、その後、ランナーを待機位置にさせれば、引き込み装置は正常に稼働するという従来の引き込み機構にはない優れた効果を奏するものである。
【発明を実施するための最良の形態】
【００２１】  以下、図面に基づいて本発明を説明する。図５は本発明に使用するストライクの斜視図、図６は同平面図、図７は本発明に使用する引き込み装置のランナーの正面図、図８は同底面、図９は引出の閉時におけるランナーとストライクの正常な係合状態、図１０は引出の閉時においてストライクがランナーの第一係止片から外れた状態、図１１は非待機位置に戻ったランナーにストライクが仮係合する状態、図１２はストライクの仮係合段部がランナーの第一係止片に仮係合して移動している状態である。【００２２】  本発明に使用するストライクは、図５、６に示すように基台５１に階段状に仮係段部５２と本係段部５３が形成されている。仮係段部５２の下部５４と本係段部５３の下部５５は待機位置方向に上がる傾斜が付されている。基台５１には、一対の係段部が対称位置に形成されている。このように係段部を対称位置に形成しておくと、引出の左右どちらにも取り付けができるばかりでなく、係段部間に第一係止片が係合されたときに、外れにくくなるものである。また基台５１の両側にはネジ穴５６、５６が穿設されている。【００２３】  本発明に使用する引き込み装置のランナーは、図７、８に示すように、ランナー３２の下部には第一係止片３９と第二係止片４０が形成されている。第一係止片３９の上部両側には第一ガイドピン３７が形成され、第二係止片４０の上部両側には第二ガイドピン３８が形成されている。第一係止片３９の片側は、待機位置方向（図７中右方）に傾斜した傾斜面４５となっている。【００２４】  次に本発明の引出の引き込み機構におけるランナーとストライクの係合状態について説明する。【００２５】  図９は、引出が完全に閉まった状態である。この状態は、ランナー３２は開口４４の非待機位置（図９中左）に位置しており、第一係止片３９はランナー５０の本係段部５３と係合している。【００２６】  図１０は、図９の状態から引出を開く途中である。このときストライク５０は矢印Ｘのように移動しているが、何らかの原因でランナー３２の第一係止片３９がストライク５０の本係段部５３から外れ、ランナー３２に付勢していた引っ張りバネにより非待機位置（図１０中左）に戻ってしまっている。【００２７】  図１１は、非待機位置に戻ったランナー３２に対して、ストライクを仮係合する状態である。引出を閉めると、ストライク５０は、非待機位置に戻ったランナー３２の位置まで移動する。このときストライク５０は、ランナー３２の第一係止片３９に当たってそれ以上は移動しないが、引出をさらに少し強く押すと、ストライク５０の仮係合段部５３の下部５４には傾斜が付され、また第一係止片３９にも傾斜面４５があるため、仮係段部５２は第一係止片３９を乗り越えて仮係段部５２と係合する。しかしながら、引出をそれ以上押し込んでも、ストライク５０は本係段部５３が係合するところまで移動しない。【００２８】  図１２は、ストライク５０の仮係段部５２とランナー３２の第一係止片３９が仮係合して移動する状態である。ストライク５０とランナー３２が仮係合した後、引出を開けると、ランナー３２は、ストライク５０に引かれて（矢印Ｘ）待機位置（図１２中右）に達する。ランナー３２が待機位置に達すると、第��係止片３９は開口４４からケース３１内に没する。その後、再度、引出を閉めると、先ずストライク５０が第二係止片４０に当たって、ランナーのロック状態を解除し、第一係止片３９が開口４４から出てくる。そして第一係止片３９がストライク５０の本係段部５３に係合し、引っ張りバネでストライクを引っ張って、引出を完全に閉めるようになる。
【産業上の利用分野】
【００２９】  本発明は、引出を有するものであれば如何なるもの、例えば厨房家具、机、整理箪笥等に適用できるものである。
なお実施例では、引き込み装置を家具の側壁に取り付け、ストライクを引出の側板に取り付けたもので示したが、逆に引き込み装置を引出の側板に、ストライクを家具の側壁に取り付けることもできる。
【図面の簡単な説明】
【００３０】
【図１】引き込み機構を設置した家具の斜視図
【図２】引き込み装置の正面断面図
【図３】引き込み機構に使用する従来の引き込み装置のランナーとストライクの拡大図
【図４】非待機位置における従来のストライクと第一係止片の位置関係を示す図
【図５】本発明に使用するストライクの斜視図
【図６】同平面図
【図７】本発明に使用する引き込み装置のランナーの正面図
【図８】同底面
【図９】引出の閉時におけるランナーとストライクの正常な係合状態
【図１０】引出の閉時においてストライクがランナーの第一係止片から外れた状態
【図１１】第一係止片と外れたストライクを仮係合させる状態
【図１２】ストライクの仮係合段部がランナーの第一係止片に仮係合して移動している状態
【符号の説明】
【００３１】１０  家具本体
２０  引出
３０  引き込み装置
３２  ランナー
３３  引っ張りバネ
３９  第一係止片
４０  第二係止片
５０  ストライク
５２  仮係段部
５３  本係段部
【図１】
0005229661.tif 000002
【図２】
0005229661.tif 000003
【図３】
0005229661.tif 000004
【図４】
0005229661.tif 000005
【図５】
0005229661.tif 000006
【図６】
0005229661.tif 000007
【図７】
0005229661.tif 000008
【図８】
0005229661.tif 000009
【図９】
0005229661.tif 000010
【図１０】
0005229661.tif 000011
【図１１】
0005229661.tif 000012
【図１２】
0005229661.tif 000013